(57)【要約】【課題】  遠隔制御可能な複数のカメラ装置からの画像を１画面上に同時に表示する構成において、ディスプレイ上で画像を効果的に表示することができる画像表示方法及び画像表示プログラムを提供する。【解決手段】  クライアント端末のディスプレイ１０１では、画面上に複数のカメラ装置からの画像を同時に表示する構成において、前記カメラ装置の動作を制御するためのカメラ制御手段１０４を前記画像の表示エリア上１０３に重畳させて表示する。【選択図】  図１
2006050144.tif 000002
【特許請求の範囲】
【請求項１】
１画面上に複数のカメラ装置からの画像を表示する画像表示方法において、
前記カメラ装置の動作を制御するためのカメラ制御手段を前記画像の表示エリア上に重畳させて表示することを特徴とする画像表示方法。
【請求項２】
請求項１に記載の画像表示方法において、
前記カメラ制御手段は、前記カメラ制御手段の被制御対象である前記カメラ装置の画像表示エリア上以外の位置に表示することを特徴とする画像表示方法。
【請求項３】
請求項１又は請求項２に記載の画像表示方法において、
前記カメラ制御手段を透過表示することを特徴とする画像表示方法。
【請求項４】
１画面上に複数のカメラ装置からの画像を表示する画像表示プログラムにおいて、
前記カメラ装置の動作を制御するためのカメラ制御手段を前記画像の表示エリア上に重畳させて表示することを特徴とする画像表示プログラム。
【請求項５】
請求項４に記載の画像表示プログラムにおいて、
前記カメラ制御手段は、前記カメラ制御手段の被制御対象である前記カメラ装置の画像表示エリア上以外の位置に表示することを特徴とする画像表示プログラム。
【請求項６】
請求項４又は請求項５に記載の画像表示プログラムにおいて、
前記カメラ制御手段を透過表示することを特徴とする画像表示プログラム。
【発明の詳細な説明】
【技術分野】
【０００１】
本発明は、遠隔地のカメラ等からの画像を表示する画像表示方法及び画像表示プログラムに関し、特に、ディスプレイ上で画像を効果的に表示することができる画像表示方法及び画像表示プログラムに関する。
【背景技術】
【０００２】
従来、例えば河川の水位、道路の混雑状況、あるいは防犯・防災等を監視する目的で監視カメラを設置し、この監視カメラで撮影した画像（映像とも言う）を伝送回線（ネットワーク）により監視センタやクライアント端末等に伝送して遠隔監視する遠隔監視システムが用いられている（例えば、特許文献１参照。）。
【０００３】
図３には、遠隔監視システムにおけるクライアント端末のディスプレイの画面構成の一例を示してある。
図３に示されるディスプレイ３０１は、ディスプレイ３０１の画面上のメインウィンドウ３０２と、メインウィンドウ３０２の中に配置される画像表示部３０３と、カメラ操作部３０４と、アラーム通知部３０５から構成されている。画像表示部３０３には、監視カメラからネットワークを介して得られた画像データを再生した画像を表示する。カメラ操作部３０４には、監視カメラの方向、フォーカス、ズーム等を遠隔制御するための操作ボタン等を表示する。アラーム通知部３０５には、例えば、監視カメラの撮影領域の設置した外部センサからアラーム信号を受信した場合に、アラーム情報を表示する。
【特許文献１】特開２００３−２７４０５０号公報
【発明の開示】
【発明が解決しようとする課題】
【０００４】
しかしながら、上記従来の遠隔監視システムにおけるクライアント端末のディスプレイにおいては、例えば、画像表示部３０３の表示サイズをより大きくするために広げようとした場合に、カメラ操作部３０４やアラーム通知部３０５等も同時にディスプレイ上に表示しようとすると、これらのスペースも確保する必要があるため、画像表示部３０３の表示サイズをディスプレイ一杯に広げることができないといった問題があった。
【０００５】
本発明は、このような従来の事情に鑑み為されたもので、例えば、ディスプレイ上で画像を効果的に表示することができる画像表示方法及び画像表示プログラムを提供することを目的とする。
【課題を解決するための手段】
【０００６】
上記目的を達成するため、本例に係る画像表示方法では、１画面上に複数のカメラ装置からの画像を表示する画像表示方法において、前記カメラ装置の動作を制御するためのカメラ制御手段を前記画像の表示エリア上に重畳させて表示する。
【０００７】
ここで、画像としては、種々なものが用いられてもよく、例えば、静止画像や動画像を用いることができる。また、こカメラ制御手段を前記画像の表示エリア上に重畳させて表示する態様としては、種々なものが用いられてもよい。
【０００８】
また、上記目的を達成するため、本例に係る画像表示方法において、前記カメラ制御手段は、前記カメラ制御手段の被制御対象である前記カメラ装置の画像表示エリア上以外の位置に表示する。
【０００９】
また、上記目的を達成するため、本例に係る画像表示方法において、前記カメラ制御手段を透過表示する。
また、上記目的を達成するため、本例に係る画像表示プログラムでは、１画面上に複数のカメラ装置からの画像を表示する画像表示プログラムにおいて、前記カメラ装置の動作を制御するためのカメラ制御手段を前記画像の表示エリア上に重畳させて表示する。
【００１０】
また、上記目的を達成するため、本例に係る画像表示プログラムにおいて、前記カメラ制御手段は、前記カメラ制御手段の被制御対象である前記カメラ装置の画像表示エリア上以外の位置に表示する。
【００１１】
また、上記目的を達成するため、本例に係る画像表示プログラムにおいて、前記カメラ制御手段を透過表示する。
【発明の効果】
【００１２】
本発明に係る画像表示方法及び画像表示プログラムによると、例えば、画像表示部上にカメラ操作部を重畳して表示するようにしたため、ディスプレイ上で画像を効果的に表示することが可能である。
【発明を実施するための最良の形態】
【００１３】
以下、本発明の実施の形態について、図面を参照しながら説明する。
図２には、本発明の一実施例に係る画像配信システムの構成例を示してある。
図２に示される画像配信システムは、複数のセンサ２０１（２０１−１〜２０１−ｎ）と、複数のカメラ２０２（２０２−１〜２０２−ｎ）と、Ｗｅｂエンコーダ２００と、複数のＷｅｂカメラ２０３（２０３−１〜２０３−ｍ）と、ネットワーク２０４と、クライアント端末２０５から構成されている。
【００１４】
Ｗｅｂエンコーダ２００は、センサ２０１から出力されるアラーム信号や、カメラ２０２から出力される画像信号や音声信号などを収集して、該収集した画像信号などを圧縮符号化（例えば、ＭＰＥＧ−２、ＪＰＥＧ等）するなどして生成したデータを、ネットワーク２０４を介してクライアント端末２０５に配信する。また、Ｗｅｂエンコーダ２００は、ネットワーク２０４を介してクライアント端末２０５から送信された指令を受信し、受信した指令に基づいて、例えば、シリアル通信によりカメラ２０２を制御する。なお、センサ２０１は、Ｗｅｂエンコーダの接点端子台に接続されている。また、ここでは、簡単化のために、１つのセンサに対応して１台のカメラを設置するものと仮定するが、センサ数とカメラ台数との組み合わせは任意に選択できる。また、Ｗｅｂエンコーダに接続されるカメラ２０２は１台であってもよい。なお、Ｗｅｂカメラ２０３はデータの圧縮符号化機能（例えば、ＭＰＥＧ−２、ＪＰＥＧ等）及びクライアント端末２０５への配信機能等を備えたカメラであり、カメラ２０２と、Ｗｅｂエンコーダ２００の機能を併せ持つ。
【００１５】
ここで、カメラ２０２やＷｅｂカメラ２０３は、クライアント端末２０５からの指令により例えば撮影方向、フォーカス、ズーム等を制御できるように構成されている。即ち、カメラ２０２やＷｅｂカメラ２０３の撮影方向は、例えばカメラ雲台と呼ばれるモータ等の駆動機構を備えた装置により、上、下、左、右、右上、右下、左上、左下等、任意の方向に旋回できるようになっている。また、カメラ２０２やＷｅｂカメラ２０３の撮影視野は、撮像レンズを制御することによりフォーカスの調整、ズームインやズームアウト等が自由に行えるように構成されている。
【００１６】
クライアント端末２０５は、例えばＰＣ（パーソナルコンピュータ）等を用いて構成されるもので、ディスプレイを備えている。従って、クライアント端末２０５のディスプレイにはＷｅｂエンコーダ２００やＷｅｂカメラ２０３からの画像を受信し、復号化した後で表示したり、センサ２０１からのアラーム情報などを表示することができる。また、クライアント端末２０５は、ネットワークを介して受信した画像データ等をハードディスク等の記憶装置（不図示）に保存することもできる。更に、クライアント端末２０５からネットワーク２０４を介してＷｅｂエンコーダ２００やＷｅｂカメラ２０３に指令を送信することにより、カメラ２０２やＷｅｂカメラ２０３の撮影方向、フォーカス、ズーム等を調整することができる。ここでは、簡単化のために、クライアント端末２０５は１台として説明するが、クライアント端末２０５は複数台あってもよい。例えば、画像配信システム内に複数のクライアント端末２０５が設けられている場合には、各クライアント端末２０５は、システム全体の制御部（図示せず）に対し、操作したいカメラ、例えばカメラ２０２−１のカメラ操作権を要求して許可を受ける。許可を受けたクライアント端末２０５は、カメラ２０２−１に対する操作権を一定時間獲得し、ディスプレイに表示される操作ボタン等の操作に応じて、捜査対象であるカメラの撮影方向、フォーカス、ズーム制御等を行うための指令を送信する。
【００１７】
なお、上述したカメラ２０２などの画像をネットワーク２０４を介して所得する機能や、所得した画像をディスプレイに表示する機能や、カメラ２０２などの撮影方向、フォーカス、ズーム等を調整するための指令をネットワーク２０４を介して送信する機能などは、例えば、クライアント端末２０５の記憶装置にインストールされたプログラムがクライアント端末２０５のＣＰＵ（不図示）により実行することで実現される。また、上述した画像配信システムについては、カメラ２０２や、クライアント端末２０５等の構成およびこれらの接続形式は、以上の実施例に限られるものではない。即ち、例えば、ネットワーク２０４を介さずにカメラ２０２とクライアント端末２０５とが接続されるような構成や、カメラ２０２から出力されたアナログの画像信号がクライアント端末２０５に入力されるような構成等を用いることが可能である。
【００１８】
図１には、本発明の一実施例に係るクライアント端末２０５のディスプレイ一杯に画像表示部を広げた状態（以下、フル画面モードと称する。）の画面構成例を示してある。
図１に示されるディスプレイ１０１は、ディスプレイ１０１の画面上のメインウィンドウ１０２と、メインウィンドウ１０２の中に配置される画像表示部１０３（１０３−１〜１０３−４）と、カメラ操作部１０４と、表示切替部１０６から構成されている。なお、１０５は、例えば、マウス等の入力機器（不図示）により操作する画面位置を示すポインタである。また、ここで、クライアント端末２０５のＣＰＵは、メインウィンドウ１０２を表示する際、ディスプレイ１０１の画面解像度を取得し、ディスプレイ１０１の画面サイズにメインウィンドウ１０２の大きさを合わせている。
【００１９】
画像表示部１０３には、Ｗｅｂエンコーダ２００などからネットワーク２０４を介して得られた画像データを再生（復号化）した画像を表示する。なお、図１では、４台のカメラの画像を同時に表示する４画面分割の画面構成となっており、例えば、画像表示部１０３−１、１０３−２、１０３−３、１０３−４にはそれぞれ異なるカメラ２０２の画像を表示すること等ができる。なお、ポインタ１０５を上記いずれかの画像表示部１０３（１０３−１〜１０３−４）上に移動させ、当該位置でマウスをクリックすることで、当該位置の画像表示部１０３がアクティブ状態（作業対象）となり、アクティブ状態である当該画像表示部１０３に画像が表示されているカメラ２０２の遠隔制御（パンチルト、ズーム、フォーカス等）や、当該画像表示部１０３に表示されている画像をクライアント端末２０５の記憶装置（不図示）へ録画することの指示（録画開始指示）などの作業が行えるように構成される。
【００２０】
即ち、ユーザによりいずれかの画像表示部１０３（１０３−１〜１０３−４）上でマウスがクリックされると、例えば、ウィンドウのメッセージ処理（ウィンドウで起こったイベントを取得して処理する）を行うコールバック関数が呼び出され、コールバック関数はウィンドウの識別値に基づいてどの画像表示部１０３でクリックが行われたかを判別し、当該クリックされた画像表示部１０３に対応する識別値がアクティブ状態情報としてクライアント端末２０５のメモリ（不図示）に登録する。そして、アクティブ状態であることを明示するために、当該アクティブ状態となった画像表示部１０３について、表示枠の色を変えたり、ウィンドウの番号を画像表示部１０３内に表示している場合にはウィンドウの番号の下に下線を表示する等、ウィンドウの再描画を行う。以降は、遠隔制御や録画開始指示など、ユーザからの操作入力が行われた時は、メモリに登録されているアクティブ状態情報と、スクリーン情報（各画像表示部１０３にはどのカメラ２０２の画像が表示されているか等の管理情報）とを参照して、例えば、ユーザからの操作入力がどのカメラ２０２に対する操作なのかを決定する。
【００２１】
なお、画像表示部１０３の表示形態は４分割画面表示の他、種々な形態が用いられてもよく、後述するように表示切替部１０６に表示される操作ボタンにより表示形態を切り替えることが可能である。例えば、表示するカメラを選択すれば一つのカメラの映像を表示することも可能である。なお、ここでは、メインウィンドウ１０２のサイズにあわせて画像表示部１０３のサイズ、及び、画像表示部１０３に表示する画像のサイズを変えている。
【００２２】
カメラ操作部１０４には、カメラ２０２などの方向、フォーカス、ズーム等を遠隔制御するための操作ボタン等が表示され、これによりユーザは、クライアント端末２０５に接続されているＷｅｂエンコーダ２００を介してカメラ２０２等のパンチルト操作、フォーカス操作、ズーム操作等の各種操作を行うことができる。ここで、画像表示部１０３の表示形式が４分割画面等、複数画面表示となっている場合は、ユーザはマウスによりポインタ１０５を移動させ、操作したいカメラの画像が表示されている画像表示部１０３を選択してアクティブ状態にすることで、カメラ操作部１０４により当該カメラの操作が可能になる。
【００２３】
図４には、本発明の一実施例に係るカメラ操作部１０４の構成例を示してある。カメラ操作部１０４には、例えば、方向操作部１０４−１、フォーカス操作部１０４−２、ズーム操作部１０４−３、速度操作部１０４−４が設けられる。なお、カメラ操作部１０４には、これ以外にも、カメラ２０２と共に設置されている照明を操作するためのボタンや、カメラの撮像レンズの絞りを調整するためのボタン等が設けられてもよい。
【００２４】
方向操作部１０４−１には、例えば、上、下、左、右等のカメラ方向を指示する方向指示ボタンが設けられる。そして、例えば、方向指示ボタンを押している間だけ、カメラ２０２やＷｅｂカメラ２０３に対する方向制御が速度操作部１０４−４で指定された速度で行われる。
【００２５】
フォーカス操作部１０４−２には、例えば、フォーカスを現在より近くに合わせる近距離フォーカスボタン、フォーカスを現在より遠くに合わせる遠距離フォーカスボタン、フォーカスを自動で合わせるＡＵＴＯフォーカスボタンが設けられる。
【００２６】
ズーム操作部１０４−３には、例えば、ズームアップするための望遠ボタン（＋）、及びズームアウトするための広角ボタン（−）が設けられる。そして、例えば、望遠ボタンあるいは広角ボタンを押している間だけ指定の速度でズーム制御が行われる。
【００２７】
なお、カメラ操作部１０４は、非表示ボタン１０４−５を押すことによっても非表示とすることができる。なお、所定時間以上ユーザによりカメラ操作部１０４に設けられたいずれのボタンの操作も行われなかった場合には、カメラ操作部１０４を自動的に非表示とするようにしてもよい。
【００２８】
図１に示したディスプレイの画面構成の説明を続ける。表示切替部１０６には、１画面表示への切替ボタン１０６−１、４分割画面表示への切替ボタン１０６−２、６分割画面表示への切替ボタン１０６−３、９分割画面表示への切替ボタン１０６−４、カメラ操作部１０４の表示／非表示の切替ボタン１０６−５、フル画面モード（図１）と通常画面モード（図３）との切替ボタン１０６−６が表示され、それぞれのボタンを押すことで、当該ボタンに割り当てられた機能を実行することができる。例えば、切替ボタン１０６−６により、ユーザは、フル画面モード時と通常モード時とのウィンドウ構成をいつでも切り替えることができる。なお、映像表示を行うプログラムの起動時にフル画面モードと通常画面モードとのどちらのモードで起動するかの設定を行うことができる。
【００２９】
ここで、カメラ操作部１０４は、後述するように、操作対象として選択されてアクティブ状態になっている画像表示部１０３上を避けて、ユーザの操作の邪魔にならない位置、例えば、複数画面表示の際はアクティブ状態ではない画像表示部１０３上に自動的に配置される。即ち、本発明に係るクライアント端末２０５のディスプレイにおいては、後述するように、カメラ操作部１０４の表示位置は、アクティブ状態になっている画像表示部１０３の位置に応じて自動的に変更されるように構成される。
【００３０】
なお、カメラ操作部１０４は、後述する配置を自動的に変更する機能により所定の位置に配置された後は、例えば、ドラッグ＆ドロップ操作等によりメインウィンドウ１０２内をユーザが自由に移動させることができるウィンドウ（フロートウィンドウ）である。また、カメラ操作部１０４は、後述する表示切替部１０６に表示される操作ボタンにより表示／非表示の切り替えを行うことができる。
【００３１】
また、カメラ操作部１０４は半透明となっていて透けており（透過表示）、画像表示部１０３に重畳させて配置しても上層のウィンドウの表示画面を透過して下層のウィンドウの表示画面の内容を見ることができる。即ち、図１で言えば、カメラ操作部１０４の下の画像表示部１０３−４に表示される画像も見ることができる。
【００３２】
従って、本発明の一実施例に係るクライアント端末２０５の画面構成においては、カメラ操作部１０４を画像表示部１０３に重畳させることで、図３のように、カメラ操作部３０４の表示領域を固定的に設けている場合と比べて、画像表示部１０３の表示領域を広くすることができ、また、画像表示部１０３に重畳させるカメラ操作部１０４を半透明表示とすることで重なった部分の画像も見ることができるため、ディスプレイ上に画像を効果的に表示することが可能である。
【００３３】
なお、図１に示したディスプレイの画面構成においては、表示切替部１０６を設けて、ユーザの利便性を考慮して上記した機能を実現するためのボタンを表示切替部１０６に表示しているが、表示切替部１０６を非表示として、更に画像表示部１０３の表示領域を大きくすることができることは言うまでもない。表示切替部１０６を非表示とする場合、例えば、マウスの右クリックにより上述した表示切替部１０６の各種切替機能を選択できるメニュー画面を表示させるようにしてもよい。また、上述した表示切替部１０６以外にも所定の機能を実現するための表示領域等が別途画面上に設けられていてもよい。
【００３４】
次に、カメラ操作部１０４が配置される位置について説明する。本発明に係るクライアント端末２０５の画面構成においては、カメラ操作部１０４を画像表示部１０３に重畳させて表示するが、アクティブ状態となっている画像表示部１０３上にカメラ操作部１０４を配置すると、例え、画像表示部１０４を半透明表示にしても、操作対象であるカメラの画像が見え難くなる。従って、一実施例として、カメラ操作部１０４は、アクティブ状態となっている画像表示部１０３を避けた位置に自動的に（ユーザの操作なしに）配置するようにする。
【００３５】
図５には、本発明の一実施例に係るカメラ操作部１０４を自動配置する処理の手順の一例を示してある。ここでは、図１に示した４分割画面表示による画像表示部１０３を例に説明を行う。
【００３６】
まず、いずれかの画像表示部１０３上でクリックがされたか否かが判定される（ステップＳ５０１）。このステップ５０１の判定は、現在のポインタ１０５の画面上の位置に基づいて行われる。いずれかの画像表示部１０３上でクリックされていない場合には、ステップＳ５０１の判定処理が続行される。
【００３７】
いずれかの画像表示部１０３上でクリックされた場合には、クリックされた画像表示部１０３がどの画像表示部１０３（１０３−１〜１０３−４）であるかを判別し、当該画像表示部１０３をアクティブ状態に設定する（ステップＳ５０２）。即ち、上述したように、クリックされた画像表示部１０３の識別値をアクティブ状態情報として登録したり、クリックされた画像表示部１０３の再描画を行う。なお、クリックされた画像表示部１０３が既にアクティブ状態である場合にはこの動作は行わない。
【００３８】
次に、カメラ操作部１０４をアクティブ状態となった画像表示部１０３以外の画像表示部１０３上に重畳表示する（ステップＳ５０３）。
ここで、上記ステップＳ５０３の動作、即ち、カメラ操作部１０４をアクティブ状態となった画像表示部１０３以外の画像表示部１０３上に重畳表示する動作の一例を図６を用いて説明する。図６には、アクティブ状態となった画像表示部１０３の上下方向に隣接する画像表示部１０３上にカメラ操作部１０４を重畳表示する場合の画面遷移の様子の一例についてが示されている。
【００３９】
即ち、図６（Ａ）では、現在、画像表示部１０３−２がアクティブ状態となっており、符号１０３−２１で示す通り、画像表示部１０３−２の領域番号「２」については、アクティブ状態であることを示すために下線が表示されている。また、カメラ操作部１０４は、画像表示部１０３−４上に重畳表示されている。ここで、ポインタ１０５は、現在、画像表示部１０３−１上に位置しており、次のタイミングで当該位置でクリックがされると、ディスプレイ１０１の画面は図６（Ｂ）に示す状態に遷移する。
【００４０】
即ち、図６（Ｂ）では、符号１０３−１１で示す通り、画像表示部１０３−１がアクティブ状態となり、カメラ操作部１０４は、アクティブ状態である画像表示部１０３−１を避けて、隣接する下の領域の画像表示部１０３−３上に重畳表示される。
【００４１】
同様に、画像表示部１０３−３がアクティブ状態となった場合には、カメラ操作部１０４は、画像表示部１０３−１上に重畳表示され、また、画像表示部１０３−４がアクティブ状態となった場合には、カメラ操作部１０４は、画像表示部１０３−２上に重畳表示される。この場合、具体的には、各画像表示部１０３がアクティブになった場合にどの位置にカメラ操作部１０４を表示するかを定めた座標情報を予め表示プログラム内に登録しておき、上記ステップＳ５０３の際に登録された座標情報に基づきカメラ操作部１０４を画像表示部１０３上に重畳表示する。なお、ステップＳ５０３における表示の実現手段としては、これ以外にも種々な方法を用いることが可能であり、例えば、ステップＳ５０３の際に、アクティブ状態になった画像表示部１０３の領域情報（座標、大きさ等）を取得し、当該領域情報に基づいてアクティブ状態の画像表示部１０３とは重ならないようなカメラ操作部１０４の表示位置を算出し、カメラ操作部１０４を画像表示部１０３上に重畳表示するようにしてもよい。
【００４２】
なお、図６に示した例では、アクティブ状態となった画像表示部１０３以外の画像表示部１０３として、上下方向に隣接する画像表示部１０３を選択する場合についてを示したが、他の例としては、例えば、左右方向に隣接する画像表示部１０３や、斜め方向に隣接する画像表示部１０３を選択するようにしてもよく、また、アクティブ状態となった画像表示部１０３以外の画像表示部１０３をランダムに選択するようにしてもよい。また、アクティブ状態となった画像表示部１０３以外の画像表示部１０３として、例えば、画像表示部１０３−２と画像表示部１０３−４との境い目部分に配置するといったように、複数の画像表示部１０３にまたがる位置にカメラ操作部１０４を配置するようにしてもよい。また、アクティブ状態となっている画像表示部１０３が、例えば、画像表示部１０３−１である場合に、カメラ操作部１０４を画像表示部１０３−１と画像表示部１０３−２との境い目部分に配置するといったように、アクティブ状態となった画像表示部１０３と一部重なる位置にカメラ操作部１０４を配置するようにしてもよい。
【００４３】
また、図６に示した例では、既にカメラ操作部１０４がディスプレイ１０１上に表示されていた場合の動作例であったが、カメラ操作部１０４がディスプレイ１０１上に表示されていない場合の画面遷移の様子の一例についてを図７を用いて説明する。
【００４４】
図７（Ａ）では、符号１０３−２１で示す通り、現在、画像表示部１０３−２がアクティブ状態となっているが、カメラ操作部１０４はまだ表示されていない。ここで、ポインタ１０５は、表示切替部１０６のカメラ操作部１０４の表示／非表示の切替ボタン１０６−５上に位置しており、次のタイミングで当該位置でクリックがされると、ディスプレイ１０１の画面は図７（Ｂ）に示す状態に遷移する。
【００４５】
即ち、図７（Ｂ）では、カメラ操作部１０４が、アクティブ状態である画像表示部１０３−２を避けて、隣接する下の領域の画像表示部１０３−４上に重畳表示される。なお、カメラ操作部１０４がディスプレイ１０１上に表示されていない場合において、切替ボタン１０６−５が押された際、いずれの画像表示部１０３についてもアクティブ状態となっていない場合は、画像表示部１０３の中央等、予め設定しておいた所定の位置にカメラ操作部１０４を重畳表示させるようにしてもよい。同様に、図１に示す画像閲覧のための表示画面が起動された際についても、アクティブ状態となっている画像表示部１０３が存在しない場合には、予め設定しておいた所定の位置にカメラ操作部１０４を重畳表示させるようにしてもよい。勿論、図１に示すような４分割画面表示において、初期設定として、常にいずれかの画像表示部１０３をアクティブ状態として設定しておくことも可能である。
【００４６】
従って、本発明の一実施例に係るクライアント端末２０５の画面構成においては、アクティブ状態となっている画像表示部１０３を避けた位置にカメラ操作部１０４を配置するようにしたため、操作対象であるカメラの画像の全体を見ながらカメラ操作部１０４による操作を行うことができ、ユーザの操作性の向上を図ることが可能である。
【００４７】
なお、上述した実施例においては、アクティブ状態となっている画像表示部１０３を避けた位置にカメラ操作部１０４を配置する構成を示したが、他の構成例として、図８に示す画面遷移の様子の一例のように、あえてアクティブ状態となっている画像表示部１０３上にカメラ操作部１０４を配置するようにしてもよい。
【００４８】
即ち、図８（Ａ）では、符号１０３−４１で示す通り、現在、画像表示部１０３−４がアクティブ状態となっており、カメラ操作部１０４は、画像表示部１０３−４上に重畳表示されている。ここで、ポインタ１０５は、現在、画像表示部１０３−１上に位置しており、次のタイミングで当該位置でクリックがされると、ディスプレイ１０１の画面は図８（Ｂ）に示す状態に遷移する。
【００４９】
即ち、図８（Ｂ）では、符号１０３−１１で示す通り、画像表示部１０３−１がアクティブ状態となり、カメラ操作部１０４は、アクティブ状態である画像表示部１０３−１自身の上に重畳表示される。このように、アクティブ状態である画像表示部１０３上にカメラ操作部１０４を重畳させると、例えば、同一視線上に操作対象であるカメラの画像とカメラ操作部１０４とを捉えることができるため、ユーザの操作性の向上を図ることが可能である。
【００５０】
ここで、本例では、４分割画面表示を例にカメラ操作部１０４の配置位置の説明を行ったが、他の例として、９分割画面表示等、他の複数分割画面表示の場合にも同様に上述した本発明に係る画像表示方法を適用することが可能である。また、１画面表示の場合には、例えば、当該１画面の画像表示部１０３上の右下の位置等、画面中央を避けた位置にカメラ操作部１０４を自動的に配置するようにしてもよい。
【００５１】
また、本例では、ポインタ１０５をアクティブ状態にしたいカメラの画像表示部１０３上に移動させ、当該位置でクリックを行うことにより所望の画像表示部１０３をアクティブ状態にする構成を示したが、他の構成例として、例えば、画像表示部１０３の番号や、カメラ２０２等の番号の一覧を表示させ、その一覧から所望の番号をユーザに選択させて所望の画像表示部１０３をアクティブ状態にするようにしてもよい。
【００５２】
また、本例では、画像表示部１０３上にカメラ操作部１０４を重畳表示させる構成を示したが、他の構成例として、カメラの撮影領域の設置した外部センサ（赤外線センサ、熱センサなど）や画像処理による異常検知手段からアラーム信号を受信した場合等にアラーム情報を表示する表示部、或いは、カメラのプリセット位置を表示する表示部等、上記カメラ操作部１０４以外の所定の表示部についても画像表示部１０３上に重畳表示させるような構成が用いられてもよい。
【００５３】
なお、本例のクライアント端末２０５では、カメラ操作部１０４の機能によりカメラ制御手段が構成されている。
ここで、本発明に係る画像表示方法や画像表示プログラムなどの構成としては、必ずしも以上に示したものに限られず、種々な構成が用いられてもよい。また、本発明は、例えば、本発明に係る処理を実行する装置や、本発明に係る処理を実行するプログラムを記録する記録媒体などとして提供することも可能であり、また、種々な装置やシステムとして提供することも可能である。
【００５４】
また、本発明の適用分野としては、必ずしも以上に示したものに限られず、本発明は、種々な分野に適用することが可能なものである。
また、本発明に係る画像表示方法や画像表示プログラムなどにおいて行われる各種の処理としては、例えばプロセッサやメモリ等を備えたハードウエア資源においてプロセッサがＲＯＭ（Read Only Memory）に格納された制御プログラムを実行することにより制御される構成が用いられてもよく、また、例えば当該処理を実行するための各機能手段が独立したハードウエア回路として構成されてもよい。
【００５５】
また、本発明は上記の制御プログラムを格納したフロッピー（登録商標）ディスクやＣＤ（Compact Disc）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【００５６】
また、上記の制御プログラムは、初めからコンピュータに備えるＲＯＭやハードディスク等の記憶手段に格納しておいてもよいが、記録媒体であるＣＤ−ＲＯＭやメモリカード等の不揮発性記録媒体に記録して提供することもできる。そして、記録されたプログラムをコンピュータにインストールしてＣＰＵに実行させるか、ＣＰＵにその記憶媒体からこのプログラムを読み出して実行させることにより、上述した各手順を実行させることができる。更に、ネットワークに接続され、プログラムを記録した記録媒体を備える外部機器あるいはプログラムを記憶手段に記憶した外部機器からダウンロードして実行させることも可能である。
【図面の簡単な説明】
【００５７】
【図１】本発明の一実施例に係るクライアント端末の画面構成例を示す図である。
【図２】本発明の一実施例に係る画像配信システムの構成例を示す図である。
【図３】クライアント端末の画面構成例を示す図である。
【図４】本発明の一実施例に係るカメラ操作部の構成例を示す図である。
【図５】本発明の一実施例に係るカメラ操作部を自動配置する処理の手順の一例を示す図である。
【図６】本発明の一実施例に係る画面遷移の様子の一例を説明するための図である。
【図７】本発明の一実施例に係る画面遷移の様子の一例を説明するための図である。
【図８】本発明の一実施例に係る画面遷移の様子の一例を説明するための図である。
【符号の説明】
【００５８】
１０１：ディスプレイ、１０２：メインウィンドウ、１０３：画像表示部、１０４：カメラ操作部、１０５：ポインタ、１０６：表示切替部、２００：Ｗｅｂエンコーダ、２０１：センサ、２０２：カメラ、２０３：Ｗｅｂカメラ、２０４：ネットワーク、２０５：クライアント端末
【図１】
2006050144.tif 000003
【図２】
2006050144.tif 000004
【図３】
2006050144.tif 000005
【図４】
2006050144.tif 000006
【図５】
2006050144.tif 000007
【図６】
2006050144.tif 000008
【図７】
2006050144.tif 000009
【図８】
2006050144.tif 000010